(57)【要約】【課題】軒樋から竪樋への落ち葉やごみの流入を防ぎ、高排水性能を妨げない雨樋落し口用落ち葉除け部材を提供する。【解決手段】所定の隙間を形成するように立てられた複数の板状部材２０と、前記複数の板状部材の上部を固定する固定部材２１とを備える。【選択図】図２
2013076231.tif 000002
【特許請求の範囲】
【請求項１】
所定の隙間を形成するように立てられた複数の板状部材と、
前記複数の板状部材の上部を固定する固定部材と、
を備えることを特徴とする雨樋落し口用落ち葉除け部材。
【請求項２】
前記複数の板状部材の下部を接続する接続部を更に備えることを特徴とする請求項１記載の雨樋落し口用落ち葉除け部材。
【請求項３】
前記固定部材は、前記板状部材の間の所定の隙間を調整可能であることを特徴とする請求項１または２記載の雨樋落し口用落ち葉除け部材。
【請求項４】
前記板状部材の両端部に傾斜面が形成されていることを特徴とする請求項１〜３の何れか一項に記載の雨樋落し口用落ち葉除け部材。
【請求項５】
前記板状部材は、複数の開口を有することを特徴とする請求項１〜４の何れか一項に記載の雨樋落し口用落ち葉除け部材。
【請求項６】
前記接続部は柔軟構造であることを特徴とする請求項１〜５の何れか一項に記載の雨樋落し口用落ち葉除け部材。
【発明の詳細な説明】
【技術分野】
【０００１】
本発明は、雨樋に設けられる軒樋集水器の落し口に配置される雨樋落し口用落ち葉除け部材に関するものである。
【背景技術】
【０００２】
近年省資源で大量の雨水を排水可能なシステムへの要望が高まっている。特に雨樋においては径の細い竪樋を用い、いわゆるサイホンの原理を利用して排水を行なうサイホン式高排水システムが提案されている。この高排水システムにおいては、落ち葉をはじめとするごみの竪樋への流入により管詰まりが生じる危険性が高いため落ち葉除け部材は必須である。
【０００３】
従来の落ち葉除け部材には、軒樋の開口部を覆う落ち葉除けネット（特許文献１参照）、集水器の落とし口の直上に配置される網目状のカバーネット（特許文献２参照）、軒樋の途中で落ち葉を止める落ち葉止め具（特許文献３参照）が存在する。
【先行技術文献】
【特許文献】
【０００４】
【特許文献１】特開２０００−８７５１９号公報
【特許文献２】特開２００８−２６７１１２号公報
【特許文献３】特開２０１０−３１５１１号公報
【発明の概要】
【発明が解決しようとする課題】
【０００５】
しかし上述の軒樋の開口部を覆う落ち葉除けネットを用いる場合には施工に時間と手間がかかり、多くの資材が必要となり高コストであった。また集水器の落とし口の直上に配置される網目状のカバーネットを用いる場合には、軒樋の底面との隙間をなくすように施工するのが一般的であり、軒樋集水器を用いた落とし口に適応させにくい形状である。即ち軒樋集水器では熱伸縮に対応するため接着を行わないのが一般的であるため固定することが難しい。更に軒樋の途中で落ち葉を止める落ち葉止め具では、詰まったごみで排水が止められる危険が高く実用性が低かった。
【０００６】
本発明の目的は、軒樋から竪樋への落ち葉やごみの流入を防ぎ、高排水性能を妨げない落ち葉除け部材を提供することである。
【課題を解決するための手段】
【０００７】
本発明の雨樋落し口用落ち葉除け部材は、所定の隙間を形成するように立てられた複数の板状部材と、前記複数の板状部材の上部を固定する固定部材と、を備えることを特徴とする。
【０００８】
また本発明の雨樋落し口用落ち葉除け部材は、前記複数の板状部材の下部を接続する接続部を更に備えることを特徴とする。
【０００９】
また本発明の雨樋落し口用落ち葉除け部材は、前記固定部材が前記板状部材の間の所定の隙間を調整可能であることを特徴とする。
【００１０】
また本発明の雨樋落し口用落ち葉除け部材は、前記板状部材の両端部に傾斜面が形成されていることを特徴とする。
【００１１】
また本発明の雨樋落し口用落ち葉除け部材は、前記板状部材が複数の開口を有することを特徴とする。
【００１２】
また本発明の雨樋落し口用落ち葉除け部材は、前記接続部が柔軟構造であることを特徴とする。
【発明の効果】
【００１３】
本発明によれば、軒樋から竪樋への落ち葉やごみの流入を防ぎ、高排水性能を妨げない雨樋落し口用落ち葉除け部材を提供することができる。
【図面の簡単な説明】
【００１４】
【図１】実施の形態に係る雨樋落し口用落ち葉除け部材を備えた軒樋集水器の斜視図である。
【図２】実施の形態に係る雨樋落し口用落ち葉除け部材が設置された軒樋集水器の上面図である。
【図３】実施の形態に係る雨樋落し口用落ち葉除け部材を構成する板状部材及び接続部材を示す図である。
【図４】実施の形態に係る雨樋落し口用落ち葉除け部材を構成する板状部材の枚数を変更した状態を示す図である。
【図５】実施の形態に係る雨樋落し口用落ち葉除け部材を構成する他の板状部材を示す図である。
【発明を実施するための形態】
【００１５】
以下、図面を参照して、本発明の実施の形態に係る雨樋落し口用落ち葉除け部材（以下、落ち葉除け部材という。）について説明する。図１は実施の形態に係る落ち葉除け部材２が設置された軒樋集水器４の斜視図、図２は実施の形態に係る落ち葉除け部材２が設置された軒樋集水器４の上面図である。ここで軒樋集水器４は、軒樋６によって集められた雨水を竪樋を用いて排水する排水システムに用いられるが、特に径の細い竪樋を用いて排水を行なうサイホン式高排水システムに有効に用いられるものである。
【００１６】
軒樋集水器４は、底壁４０と、底壁４０の前端に立設された前側壁４１と、底壁４０の後端に立設された後側壁４２とを有し、両端部に軒樋６を挿入する軒樋挿入部４３が形成されている。また底壁４０には、図示しない落とし口が形成された竪樋接続部４４が設けられている。
【００１７】
落ち葉除け部材２は、軒樋集水器４内に配置されており、両端部が軒樋挿入部４３に挿入された軒樋６上に位置している。図３（ａ）は落ち葉除け部材２を構成する板状部材２０を示す図であり、図３（ｂ）は落ち葉除け部材２を端部方向から視た図であり、図３（ｃ）は落ち葉除け部材２を上から視た図である。落ち葉除け部材２は、所定の隙間を形成するように立てられた複数の板状部材２０と、複数の板状部材２０の上部を固定する固定部材２１（図２参照）と、複数枚の板状部材２０の下端部を接続する接続部２２とを備えている。図３（ａ）に示すように板状部材２０は半円形状を有しており、上部に固定部材２１により複数の板状部材２０の固定を行なう際に、固定部材２１を通す穴２０ａが形成されている。
【００１８】
ここで板状部材２０と板状部材２０の間に形成される隙間は、板状部材２０の接続部２２への接続位置により規定されるが、隙間の大きさは雨樋を設置する地域の落ち葉の大きさに基づいて、５〜１５ｍｍの間で適宜選択される。接続部材２２は所定の間隔で板状部材２０の下端部を接続する。これにより板状部材２０の間及び外側に、雨水を落し口に落とすための複数の開口２２ａが形成される。
【００１９】
落ち葉除け部材２は、固定部材２１により板状部材２０上部の隙間の大きさを調整をすることができる。即ち、図１及び図２に示すように、板状部材２０の上部の隙間を下部の隙間に比較して狭く、または板状部材２０の上部の隙間を下部の隙間と同じにすることができる。これにより様々な形状の軒樋断面に対応させるように落ち葉除け部材２の上部の幅を変更することができる。
【００２０】
この実施の形態においては、軒樋６から雨水と共に落ち葉が軒樋集水器４内に流れ込んだ場合に、落ち葉除け部材２の板状部材２０間の隙間を通過することができず、落ち葉除け部材２により捕捉される。従って落ち葉が竪樋に流れ込むのを防止することができ、高排水システムの高排水性を維持することができる。また、落ち葉除け部材２の板状部材２０が半円形状であり円弧状の傾斜面を有しているため、落ち葉が板状部材２０の円弧形状に沿って板状部材２０の上方に押し上げられた位置で捕捉されるため、板状部材２０の下部の隙間は閉塞されにくく軒樋６から竪樋への排水を維持することができる。
【００２１】
また、この実施の形態に係る落ち葉除け部材２によれば、軒樋集水器４の部分に対する施工のみで竪樋に落ち葉などのごみが流入するのを防止することができる。
【００２２】
なお、落ち葉除け部材２の下部の幅を狭くする場合には、板状部材２０の枚数を減少させることにより行うことができる。即ち、図４（ａ）は軒樋集水器４の幅が大きい場合を示しているが、軒樋集水器４の幅が小さい場合には、図４（ｂ）に示すように少ない枚数の板状部材２０を固定部材２１で固定することにより落ち葉除け部材２の下部の幅を小さくすることができる。ここで落ち葉除け部材２を構成する部材の中で少なくとも接続部２２が柔軟構造である場合には接続部２２を刃物で切断することにより板状部材２０の枚数を減少させて軒樋集水器４の底部の幅に合わせることができる。
【００２３】
このように板状部材２０の枚数の変更や、固定部材２１による板状部材２０間の隙間の調整のみで多種類の雨樋に対応することができる。
【００２４】
また、上述の実施の形態に係る半円形状の板状部材２０に複数に開口を設けても良い。また、図５（ａ）に示すように矩形形状の板状部材３１であってもよく、図５（ｂ）に示すように板状部材３１が複数の開口３１ａを有しても良い。板状部材３１が複数の開口３１ａを有する場合には、この開口３１ａを介して雨水が竪樋に流れ込むため排水性の向上を図ることができる。更に板状部材は三角形状であっても良い。
【符号の説明】
【００２５】
２…雨樋落し口用落ち葉除け部材、４…軒樋集水器、６…軒樋、２０…板状部材、２１…固定部材、２２…接続部
【図１】
2013076231.tif 000003
【図２】
2013076231.tif 000004
【図３】
2013076231.tif 000005
【図４】
2013076231.tif 000006
【図５】
2013076231.tif 000007